(57)【要約】【課題】ユーザが情報処理装置を操作して通信装置と非接触近接通信を行う際に、通信状況を把握しながら操作を行えるようにする。【解決手段】複数の通信手段により通信装置と通信可能な情報処理装置であって、前記通信装置から受信された前記通信装置の識別情報を記憶領域に記憶する記憶手段と、前記通信装置との無線通信手段を介した接続処理が開始された後に、所定の範囲内で無線通信可能な非接触近接通信手段を介して新たに前記通信装置の識別情報が受信された場合、前記新たに受信された識別情報と前記記憶領域に記憶されている識別情報とが一致するか否かを判定する判定手段と、前記判定手段による判定の結果に応じて前記通信装置との通信状況に関するメッセージを切り替えて表示する表示制御手段と、を有することによって課題を解決する。【選択図】図６
2016100724.tif 000002
【特許請求の範囲】
【請求項１】
複数の通信手段により通信装置と通信可能な情報処理装置であって、
前記通信装置から受信された前記通信装置の識別情報を記憶領域に記憶する記憶手段と、
前記通信装置との無線通信手段を介した接続処理が開始された後に、所定の範囲内で無線通信可能な非接触近接通信手段を介して新たに前記通信装置の識別情報が受信された場合、前記新たに受信された識別情報と前記記憶領域に記憶されている識別情報とが一致するか否かを判定する判定手段と、
前記判定手段による判定の結果に応じて前記通信装置との通信状況に関するメッセージを切り替えて表示する表示制御手段と、
を有する情報処理装置。
【請求項２】
前記判定手段は、前記接続処理により接続が確立された後に、前記非接触近接通信手段を介して新たに前記通信装置の識別情報が受信された場合、前記新たに受信された識別情報と前記記憶領域に記憶されている識別情報とが一致するか否かを判定する請求項１に記載の情報処理装置。
【請求項３】
前記表示制御手段は、前記判定手段により一致すると判定された場合には前記通信装置と前記無線通信手段を介して接続中である旨のメッセージを表示し、一致しないと判定された場合には他の通信装置と前記無線通信手段を介して接続中である旨のメッセージを表示する請求項２に記載の情報処理装置。
【請求項４】
前記判定手段は、前記接続処理による接続処理中に、前記非接触近接通信手段を介して新たに前記通信装置の識別情報が受信された場合、前記新たに受信された識別情報と前記記憶領域に記憶されている識別情報とが一致するか否かを判定する請求項１に記載の情報処理装置。
【請求項５】
前記表示制御手段は、前記判定手段により一致すると判定された場合には前記通信装置と前記無線通信手段を介して接続処理中である旨のメッセージを表示し、一致しないと判定された場合には他の通信装置と前記無線通信手段を介して接続処理中である旨のメッセージを表示する請求項４に記載の情報処理装置。
【請求項６】
前記無線通信手段を介した前記通信装置との接続が切断された場合、前記記憶領域に記憶されている識別情報を削除する削除手段を更に有する請求項１乃至５の何れか１項に記載の情報処理装置。
【請求項７】
前記無線通信手段を介した接続が確立される前に、前記非接触近接通信手段を介して前記通信装置の識別情報を前記通信装置から受信する受信手段を更に有し、
前記記憶手段は、前記受信手段により受信された識別情報を前記記憶領域に記憶する請求項１乃至６の何れか１項に記載の情報処理装置。
【請求項８】
前記無線通信手段を介した接続が確立された後に、前記無線通信手段を介して前記通信装置の識別情報を前記通信装置から受信する受信手段を更に有し、
前記記憶手段は、前記受信手段により受信された識別情報を前記記憶領域に記憶する請求項１乃至６の何れか１項に記載の情報処理装置。
【請求項９】
前記識別情報は、前記通信装置のＵＵＩＤ（ｕｎｉｖｅｒｓａｌｌｙ  ｕｎｉｑｕｅ  ｉｄｅｎｔｉｆｉｅｒ）、前記通信装置と接続するためのネットワーク情報、前記非接触近接通信手段に係るＮＦＣ（Ｎｅａｒ  Ｆｉｅｌｄ  Ｃｏｍｍｕｎｉｃａｔｉｏｎ）チップの固有情報、又は前記通信装置を特定するユーザ入力情報のうちの何れかである請求項１乃至８の何れか１項に記載の情報処理装置。
【請求項１０】
前記通信装置は、画像を撮像する撮像装置である請求項１乃至９の何れか１項に記載の情報処理装置。
【請求項１１】
前記非接触近接通信手段は、ＮＦＣ（Ｎｅａｒ  Ｆｉｅｌｄ  Ｃｏｍｍｕｎｉｃａｔｉｏｎ）に係る通信手段である請求項１乃至１０の何れか１項に記載の情報処理装置。
【請求項１２】
複数の通信手段により通信装置と通信可能な情報処理装置が実行する情報処理方法であって、
前記通信装置から受信された前記通信装置の識別情報を記憶領域に記憶する記憶ステップと、
前記通信装置との無線通信手段を介した接続処理が開始された後に、所定の範囲内で無線通信可能な非接触近接通信手段を介して新たに前記通信装置の識別情報が受信された場合、前記新たに受信された識別情報と前記記憶領域に記憶されている識別情報とが一致するか否かを判定する判定ステップと、
前記判定ステップによる判定の結果に応じて前記通信装置との通信状況に関するメッセージを切り替えて表示する表示制御ステップと、
を含む情報処理方法。
【請求項１３】
複数の通信手段により通信装置と通信可能なコンピュータに、
前記通信装置から受信された前記通信装置の識別情報を記憶領域に記憶する記憶ステップと、
前記通信装置との無線通信手段を介した接続処理が開始された後に、所定の範囲内で無線通信可能な非接触近接通信手段を介して新たに前記通信装置の識別情報が受信された場合、前記新たに受信された識別情報と前記記憶領域に記憶されている識別情報とが一致するか否かを判定する判定ステップと、
前記判定ステップによる判定の結果に応じて前記通信装置との通信状況に関するメッセージを切り替えて表示する表示制御ステップと、
を実行させるためのプログラム。
【発明の詳細な説明】
【技術分野】
【０００１】
本発明は、情報処理装置、情報処理方法及びプログラムに関する。
【背景技術】
【０００２】
近年では、デジタルカメラ等の撮像装置に簡易的なアクセスポイント機能を搭載したものが知られている。デジタルカメラが簡易的なアクセスポイント機能を起動すると、携帯電話をはじめとする他の装置がデジタルカメラをアクセスポイントとして検知し、デジタルカメラが形成したネットワークに参加することで、デジタルカメラと他の装置とが通信可能となる。この通信を確立させるためには、ユーザが、デジタルカメラと通信させたい他の装置との二つの装置をそれぞれ操作する必要がある。この接続操作は装置に慣れていないユーザにとって複雑であるため、操作を手軽でわかりやすくし、ユーザの使い勝手を改善する技術が提案されている。
特許文献１では、複数の通信手段を有する装置が、第一の通信手段で通信相手の装置のＩＤを特定して、第二の通信手段を制御する構成を備えることで、通信相手の特定を簡単に行い、通信を開始するまでの複雑なユーザ操作を不要にする技術が開示されている。
【先行技術文献】
【特許文献】
【０００３】
【特許文献１】特開２００７−２６７３７０号公報
【発明の概要】
【発明が解決しようとする課題】
【０００４】
デジタルカメラと携帯電話との無線通信を簡単に行う方法として、携帯電話とデジタルカメラの非接触近接通信（ＮＦＣ）インターフェースを近接させて互いの情報をやりとりさせ、自動で無線接続処理を行わせる方法がある。なお、ＮＦＣは、Ｎｅａｒ  Ｆｉｅｌｄ  Ｃｏｍｍｕｎｉｃａｔｉｏｎの略称である。しかし、デジタルカメラと簡易ＡＰネットワークで通信中の携帯電話の非接触近接通信インターフェースを近接させた場合、既に接続中のため接続処理が行われない。そのため、携帯電話側もデジタルカメラ側も何も反応がなく、ユーザは何が起きているのかわからないという課題がある。
本発明は、ユーザが情報処理装置を操作して通信装置と非接触近接通信を行う際に、通信状況を把握しながら操作を行えるようにすることを目的とする。
【課題を解決するための手段】
【０００５】
そこで、本発明の情報処理装置は、複数の通信手段により通信装置と通信可能な情報処理装置であって、前記通信装置から受信された前記通信装置の識別情報を記憶領域に記憶する記憶手段と、前記通信装置との無線通信手段を介した接続処理が開始された後に、所定の範囲内で無線通信可能な非接触近接通信手段を介して新たに前記通信装置の識別情報が受信された場合、前記新たに受信された識別情報と前記記憶領域に記憶されている識別情報とが一致するか否かを判定する判定手段と、前記判定手段による判定の結果に応じて前記通信装置との通信状況に関するメッセージを切り替えて表示する表示制御手段と、を有する。
【発明の効果】
【０００６】
本発明によれば、ユーザが情報処理装置を操作して通信装置と非接触近接通信を行う際に、通信状況を把握しながら操作を行うことができるようになる。
【図面の簡単な説明】
【０００７】
【図１】実施形態１におけるユースケースの一例を示す図である。
【図２】デジタルカメラのハードウェア構成等の一例を示す図である。
【図３】携帯電話のハードウェア構成の一例を示す図である。
【図４】携帯電話の処理の一例を示すフローチャート（その１）である。
【図５】デジタルカメラの処理の一例を示すフローチャートである。
【図６】携帯電話の処理の一例を示すフローチャート（その２）である。
【発明を実施するための形態】
【０００８】
以下、本発明を実施するための形態について図面を用いて説明する。
＜実施形態１＞
（ユースケースの説明）
図１を参照して、本実施形態のユースケースについて説明する。本実施形態では、携帯電話が、デジタルカメラの簡易ＡＰ（Ａｃｃｅｓｓ  Ｐｏｉｎｔ）機能で作成された無線ＬＡＮネットワークに参加することで、デジタルカメラと通信を確立し、デジタルカメラを遠隔操作することが可能である。通信を確立するための接続方法としては、携帯電話、デジタルカメラをそれぞれユーザが操作して接続させる通常の接続方法に加え、図１に示す接続方法がある。図１（ａ）に示す接続方法は、携帯電話とデジタルカメラの非接触近接通信（Ｎｅａｒ  Ｆｉｅｌｄ  Ｃｏｍｍｕｎｉｃａｔｉｏｎ：ＮＦＣ）インターフェースを近接させて互いの情報をやりとりさせ、自動で接続処理を行わせる接続方法である。以下、非接触近接通信インターフェースを利用して、携帯電話とデジタルカメラとを近接させることを、ＮＦＣタッチと記す。
【０００９】
携帯電話がデジタルカメラと通信していない場合にＮＦＣタッチした場合は、携帯電話とデジタルカメラとは自動で接続処理を開始する。しかし、携帯電話がデジタルカメラの簡易ＡＰネットワークでカメラと通信中にＮＦＣタッチした場合は、接続処理が行われない仕様としている。そのため、通信中にＮＦＣタッチした場合、図１（ｂ）のように、通信状態に変化がないため、携帯電話側もデジタルカメラ側も何も反応しない。
通信中にＮＦＣタッチするケースとしては、ユーザが携帯電話とデジタルカメラとが通信中であることを忘れている場合や、携帯電話とデジタルカメラとの接続処理に時間がかかり、同じ画面が長時間表示されていて処理が停止したと勘違いする場合等が想定される。何れの場合においても、ユーザは携帯電話とデジタルカメラとを接続することを目的としてＮＦＣタッチしている。ＮＦＣタッチしているにも関わらず何も反応がないと、ユーザはＮＦＣの感度が良くないのか、何か他の理由で反応しないのか等といったように状況を把握することができないという問題が生じる。
【００１０】
（デジタルカメラ１００の構成）
図２（ａ）は、本実施形態の通信装置の一例であるデジタルカメラ１００のハードウェア構成の一例を示す図である。なお、ここでは通信装置の一例としてデジタルカメラ（撮像装置）について述べるが、通信装置はこれに限られない。例えば通信装置は、携帯型のメディアプレーヤや、いわゆるタブレットデバイス、パーソナルコンピュータ等であってもよい。
制御部１０１は、入力された信号や、後述のプログラムに従ってデジタルカメラ１００の各部を制御する。より具体的には、制御部１０１が不揮発性メモリ１０３等に格納されているプログラムを実行することにより、後述するデジタルカメラ１００の機能及びデジタルカメラ１００のフローチャートに係る処理が実現される。なお、制御部１０１が装置全体を制御する代わりに、複数のハードウェアが処理を分担することで、装置全体を制御してもよい。
撮像部１０２は、例えば、光学レンズユニットと絞り・ズーム・フォーカス等を制御する光学系と、光学レンズユニットを経て導入された光（映像）を電気的な映像信号に変換するための撮像素子等で構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が利用される。撮像部１０２は、制御部１０１に制御されることにより、撮像部１０２に含まれるレンズで結像された被写体光を、撮像素子により電気信号に変換し、ノイズ低減処理等を行い、デジタルデータを画像データとして出力する。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、記録媒体１１０に記録される。
【００１１】
不揮発性メモリ１０３は、データを電気的に消去・記録可能な不揮発性のメモリであり、制御部１０１で実行されるプログラム等が格納される。
作業用メモリ１０４は、撮像部１０２で撮像された画像データを一時的に保持するバッファメモリや、表示部１０６の画像表示用メモリ、制御部１０１の作業領域等として使用される。
操作部１０５は、デジタルカメラ１００に対する指示をユーザから受け付けるために用いられる。操作部１０５は例えば、ユーザがデジタルカメラ１００の電源のＯＮ／ＯＦＦを指示するための電源ボタンや、撮影を指示するためのレリーズスイッチ、画像データの再生を指示するための再生ボタンを含む。更に、後述の接続部１１１を介して外部機器との通信を開始するための接続ボタン等の操作部材を含む。また、後述する表示部１０６に形成されるタッチパネルも操作部１０５に含まれる。なお、レリーズスイッチは、ＳＷ１及びＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の撮影準備を行うための指示を受け付ける。また、レリーズスイッチが、いわゆる全押し状態となることにより、ＳＷ２がＯＮとなる。これにより、撮影を行うための指示を受け付ける。
【００１２】
表示部１０６は、撮影の際のビューファインダー画像の表示、撮影した画像データの表示、対話的な操作のための文字表示等を行う。なお、表示部１０６は必ずしもデジタルカメラ１００が内蔵する必要はない。デジタルカメラ１００は内部又は外部の表示部１０６と接続することができ、表示部１０６の表示を制御する表示制御機能を少なくとも有していればよい。
記録媒体１１０は、撮像部１０２から出力された画像データを記録することができる。記録媒体１１０は、デジタルカメラ１００に着脱可能なよう構成してもよいし、デジタルカメラ１００に内蔵されていてもよい。即ち、デジタルカメラ１００は少なくとも記録媒体１１０にアクセスする機能を有していればよい。
接続部１１１は、外部装置と接続するためのインターフェースである。本実施形態のデジタルカメラ１００は、接続部１１１を介して、外部装置とデータのやりとりを行うことができる。例えば、撮像部１０２で生成された画像データを、接続部１１１を介して外部装置に送信することができる。なお、本実施形態では、接続部１１１は外部装置とＩＥＥＥ８０２．１１の規格に従った、いわゆる無線ＬＡＮで通信するためのインターフェースを含む。制御部１０１は、接続部１１１を制御することで外部装置との無線通信を実現する。なお、通信方式は無線ＬＡＮに限定されるものではなく、例えば赤外通信方式も含む。接続部１１１は、無線通信手段の一例である。
【００１３】
近接無線通信部１１２は、例えば無線通信のためのアンテナと無線信号を処理するための変復調回路や通信コントローラから構成される。近接無線通信部１１２は、変調した無線信号をアンテナから出力し、またアンテナで受信した無線信号を復調することでＩＳＯ／ＩＥＣ  １８０９２の規格（いわゆるＮＦＣ）に従った非接触近接通信を実現する。本実施形態の近接無線通信部１１２は、デジタルカメラ１００の側部に配される。近接無線通信部１１２は、非接触近接通信手段の一例である。
後述する携帯電話２００とは、互いの近接無線通信部を近接させることにより通信が開始され接続される。なお、近接無線通信部を用いて接続させる場合、必ずしも近接無線通信部同士を接触させる必要はない。近接無線通信部は所定の範囲内であれば無線通信可能であるため、互いの機器を接続するためには、近接無線通信可能な範囲まで近づければよい。以下の説明では、この近接無線通信可能な所定の範囲まで近づけることを、近接させる、とも記載する。
また、互いの近接無線通信部が近接無線通信不可能な範囲にあれば、通信は開始されない。また、互いの近接無線通信部が近接無線通信可能な範囲にあって、デジタルカメラ１００同士が通信接続されている際に、互いの近接無線通信部１１２が近接無線通信不可能な範囲まで離れてしまった場合は、通信接続が解除される。なお、近接無線通信部１１２が実現する非接触近接通信はＮＦＣに限られるものではなく、他の無線通信を採用してもよい。例えば、近接無線通信部１１２が実現する非接触近接通信として、ＩＳＯ／ＩＥＣ  １４４４３の規格に従った非接触近接通信を採用してもよい。
【００１４】
本実施形態では、接続部１１１により実現される通信の通信速度は、近接無線通信部１１２により実現される通信の通信速度よりも速い。また、接続部１１１により実現される通信は、近接無線通信部１１２による通信よりも、通信可能な範囲が広い。その代わり、近接無線通信部１１２による通信では、通信可能な範囲の狭さにより通信相手を限定することができるため、接続部１１１により実現される通信で必要な暗号鍵の交換等の処理を必要としない。即ち、接続部１１１を用いるよりも手軽に通信することができる。
なお、本実施形態におけるデジタルカメラ１００の接続部１１１は、インフラストラクチャモードにおけるアクセスポイントとして動作するＡＰモードと、インフラストラクチャモードにおけるクライアントとして動作するＣＬモードとを有している。デジタルカメラ１００がＣＬ機器として動作する場合、周辺のＡＰ機器に接続することで、ＡＰ機器が形成するネットワークに参加することが可能である。また、接続部１１１をＡＰモードで動作させることにより、本実施形態におけるデジタルカメラ１００は、ＡＰの一種ではあるが、より機能が限定された簡易的なＡＰ（以下、簡易ＡＰ）として動作することも可能である。デジタルカメラ１００が簡易ＡＰとして動作すると、デジタルカメラ１００は自身でネットワークを形成する。デジタルカメラ１００の周辺の装置は、デジタルカメラ１００をＡＰ機器と認識し、デジタルカメラ１００が形成したネットワークに参加することが可能となる。上記のようにデジタルカメラ１００を動作させるためのプログラムは不揮発性メモリ１０３に保持されているものとする。
【００１５】
なお、本実施形態におけるデジタルカメラ１００はＡＰの一種であるものの、ＣＬ機器から受信したデータをインターネットプロバイダ等に転送するゲートウェイ機能は有していない簡易ＡＰである。したがって、自機が形成したネットワークに参加している他の装置からデータを受信しても、それをインターネット等のネットワークに転送することはできない。
次に、デジタルカメラ１００の外観について説明する。図２（ｂ）、図２（ｃ）はデジタルカメラ１００の外観の一例を示す図である。レリーズスイッチ１０５ａや再生ボタン１０５ｂ、方向キー１０５ｃ、タッチパネル１０５ｄは、上述の操作部１０５に含まれる操作部材である。また、表示部１０６には、撮像部１０２による撮像の結果得られた画像が表示される。また、本実施形態のデジタルカメラ１００は、カメラ筺体の側面に近接無線通信部１１２のアンテナ部分を有する。この近接無線通信部１１２同士を一定の距離に近づけることにより、他の機器と近接無線通信を確立することができる。これにより、ケーブル等を介さずに非接触で通信可能であると共に、ユーザの意図に沿って通信相手を限定することができる。
以上がデジタルカメラ１００の説明である。
【００１６】
（携帯電話２００の構成）
図３は、本実施形態の情報処理装置の一例である携帯電話２００のハードウェア構成の一例を示す図である。なお、ここでは情報処理装置の一例として携帯電話２００について述べるが、情報処理装置はこれに限られない。例えば情報処理装置は、無線機能付きのデジタルカメラ、タブレットデバイス、あるいはパーソナルコンピュータ等であってもよい。
制御部２０１は、入力された信号や、後述のプログラムに従って携帯電話２００の各部を制御する。より具体的には、制御部２０１が不揮発性メモリ２０３等に格納されているプログラムを実行することにより、後述する携帯電話２００の機能及び携帯電話２００のフローチャートに係る処理が実現される。なお、制御部２０１が装置全体を制御する代わりに、複数のハードウェアが処理を分担することで、装置全体を制御してもよい。
撮像部２０２は、撮像部２０２に含まれるレンズで結像された被写体光を電気信号に変換し、ノイズ低減処理等を行い、デジタルデータを画像データとして出力する。撮像した画像データはバッファメモリに蓄えられた後、制御部２０１にて所定の演算を行い、記録媒体２１０に記録される。
【００１７】
不揮発性メモリ２０３は、データを電気的に消去・記録可能な不揮発性のメモリ（記憶領域）である。不揮発性メモリ２０３には、制御部２０１が実行する基本的なソフトウェアであるＯＳ（オペレーティングシステム）に関するプログラムや、このＯＳと協働して応用的な機能を実現するアプリケーションに関するプログラムが格納されている。また、本実施形態では、不揮発性メモリ２０３には、デジタルカメラ１００と通信するためのアプリケーションに関するプログラムが格納されている。
作業用メモリ２０４は、表示部２０６の画像表示用メモリや、制御部２０１の作業領域等として使用される。
操作部２０５は、携帯電話２００に対する指示をユーザから受け付けるために用いられる。操作部２０５は例えば、ユーザが携帯電話２００の電源のＯＮ／ＯＦＦを指示するための電源ボタンや、表示部２０６に形成されるタッチパネル等の操作部材を含む。
表示部２０６は、画像データの表示、対話的な操作のための文字表示等を行う。なお、表示部２０６は必ずしも携帯電話２００が備える必要はない。携帯電話２００は表示部２０６と接続することができ、表示部２０６の表示を制御する表示制御機能を少なくとも有していればよい。
【００１８】
記録媒体２１０は、撮像部２０２から出力された画像データを記録することができる。記録媒体２１０は、携帯電話２００に着脱可能なよう構成してもよいし、携帯電話２００に内蔵されていてもよい。即ち、携帯電話２００は少なくとも記録媒体２１０にアクセスする機能を有していればよい。
接続部２１１は、外部装置と接続するためのインターフェースである。本実施形態の携帯電話２００は、接続部２１１を介して、デジタルカメラ１００とデータのやりとりを行うことができる。本実施形態では、接続部２１１はアンテナであり、制御部１０１は、アンテナを介して、デジタルカメラ１００と接続することができる。なお、デジタルカメラ１００との接続では、直接接続してもよいしアクセスポイントを介して接続してもよい。データを通信するためのプロトコルとしては、例えば無線ＬＡＮを通じたＰＴＰ／ＩＰ（Ｐｉｃｔｕｒｅ  Ｔｒａｎｓｆｅｒ  Ｐｒｏｔｏｃｏｌ  ｏｖｅｒ  Ｉｎｔｅｒｎｅｔ  Ｐｒｏｔｏｃｏｌ）を用いることができる。なお、デジタルカメラ１００との通信はこれに限られるものではない。例えば、接続部２１１は、赤外線通信モジュール、Ｂｌｕｅｔｏｏｔｈ（登録商標）通信モジュール、ＷｉｒｅｌｅｓｓＵＳＢ等の無線通信モジュールを含むことができる。更には、ＵＳＢケーブルやＨＤＭＩ（登録商標）、ＩＥＥＥ１３９４等、有線接続を採用してもよい。接続部２１１は、無線通信手段の一例である。
【００１９】
近接無線通信部２１２は、他機との非接触近接通信を実現するための通信ユニットである。近接無線通信部２１２は、無線通信のためのアンテナと無線信号を処理するための変復調回路や通信コントローラから構成される。近接無線通信部２１２は、変調した無線信号をアンテナから出力し、またアンテナで受信した無線信号を復調することにより非接触近接通信を実現する。ここでは、ＩＳＯ／ＩＥＣ  １８０９２の規格（いわゆるＮＦＣ）に従った非接触通信を実現する。近接無線通信部２１２は、他のデバイスからデータ読み出し要求を受けると、不揮発性メモリ２０３に格納されているデータに基づき、応答データを出力する。本実施形態では、携帯電話２００は、近接無線通信部２１２を通じて、ＮＦＣの規格で定義されているカードリーダモード、カードライタモード及びＰ２Ｐモードで動作し、主にＩｎｉｔｉａｔｏｒとしてふるまう。一方、デジタルカメラ１００は、近接無線通信部１１２を介して、主にＴａｒｇｅｔとしてふるまう。近接無線通信部２１２は、非接触近接通信手段の一例である。
公衆網接続部２１３は、公衆無線通信を行う際に用いられるインターフェースである。携帯電話２００は、公衆網接続部２１３を介して、他の機器と通話することができる。この際、制御部２０１はマイク２１４及びスピーカ２１５を介して音声信号の入力と出力とを行うことで、通話を実現する。本実施形態では、公衆網接続部２１３はアンテナであり、制御部１０１は、アンテナを介して、公衆網に接続することができる。なお、接続部２１１及び公衆網接続部２１３は、一つのアンテナで兼用することも可能である。
以上が携帯電話２００の説明である。
【００２０】
（携帯電話とデジタルカメラの通信確立までの流れ）
続いて携帯電話２００がデジタルカメラ１００と通信を確立するまでの流れについて説明する。図４は、携帯電話２００がデジタルカメラ１００と通信を確立するまでの処理の一例を示すフローチャートである。
ステップＳ４００において、制御部２０１は、近接無線通信部２１２でデジタルカメラ１００とＮＦＣタッチされたか否かを判定し、タッチされた場合はステップＳ４０１へ進む。
ステップＳ４０１において、制御部２０１は、近接無線通信部２１２を介して、近接したデジタルカメラ１００からデジタルカメラ１００の識別情報、デジタルカメラ１００の簡易ＡＰ機能が構築する無線ＬＡＮネットワークの情報を受信する。本実施形態では、識別情報として、デジタルカメラ１００のＵＵＩＤ（ｕｎｉｖｅｒｓａｌｌｙ  ｕｎｉｑｕｅ  ｉｄｅｎｔｉｆｉｅｒ）を使用する。なお、識別情報として、他に接続するためのネットワーク情報、デジタルカメラ１００を特定するユーザ入力情報、デジタルカメラ１００に搭載されているＮＦＣチップの固有情報等を使用してもよい。
ステップＳ４０２において、制御部２０１は、近接無線通信部２１２を介して、携帯電話２００の識別情報をデジタルカメラ１００へ送信する。
ステップＳ４０３において、制御部２０１は、接続部２１１を用いて、ステップＳ４０１で受信したネットワーク情報をもとに、デジタルカメラ１００の無線ＬＡＮネットワークへの接続処理を開始する。
ステップＳ４０４において、制御部２０１は、デジタルカメラ１００との通信を確立する。
【００２１】
続いて、デジタルカメラ１００が携帯電話２００と通信を確立するまでの流れについて説明する。図５は、デジタルカメラ１００が携帯電話２００と通信を確立するまでの処理の一例を示すフローチャートである。
ステップＳ５００において、制御部１０１は、近接無線通信部１１２で携帯電話２００とＮＦＣタッチされたか否かを判定し、タッチされた場合はステップＳ５０１へ進む。
ステップＳ５０１において、制御部１０１は、近接無線通信部１１２を介して、デジタルカメラ１００の識別情報、デジタルカメラ１００の簡易ＡＰ機能が構築する無線ＬＡＮネットワーク情報を携帯電話２００へ送信する。
ステップＳ５０２において、制御部１０１は、近接無線通信部１１２を介して、携帯電話２００の識別情報を受信する。
ステップＳ５０３において、制御部１０１は、自機の簡易ＡＰ機能で無線ＬＡＮネットワークを作成する。
ステップＳ５０４において、制御部１０１は、接続部１１１を介して携帯電話２００から接続要求を受信したか否かを判定する。そして、制御部１０１は、携帯電話２００から接続要求を受信した場合に、接続要求元の携帯電話２００の識別情報がステップＳ５０２で受信した携帯電話２００の識別情報と一致することの確認がとれたら、ステップＳ５０５へ進む。
ステップＳ５０５において、制御部１０１は、接続部１１１を用いて携帯電話２００との通信を確立する。
以上が、携帯電話２００とデジタルカメラ１００とが、無線ＬＡＮネットワークで通信を確立するまでの流れである。
【００２２】
（通信中にＮＦＣタッチされた場合の携帯電話の動き）
携帯電話２００とデジタルカメラ１００とが無線ＬＡＮネットワークで通信中にＮＦＣタッチされた場合における、携帯電話２００の動作の流れについて説明する。図６は、携帯電話２００がデジタルカメラ１００と無線ＬＡＮネットワークで通信中にＮＦＣタッチされた場合における、携帯電話２００の処理の一例を示すフローチャートである。図６のフローチャートにおいて、図４と同等のステップについては同じステップ番号を付している。
ステップＳ４００からステップＳ４０２までは、図４と同じ処理を行う。
ステップＳ６００において、制御部２０１は、ステップＳ４０１で受信したデジタルカメラ１００の識別情報を携帯電話２００の不揮発性メモリ２０３に記憶し、ステップＳ４０３、Ｓ４０４へ進む。ステップＳ４０３、Ｓ４０４の処理は、図４で説明した通りである。
ステップＳ６０１において、制御部２０１は、ステップＳ４００の処理と同様に、ＮＦＣタッチされたか否かを判定し、タッチされた場合はステップＳ６０２へ進む。
ステップＳ６０２において、制御部２０１は、近接無線通信部２１２を介して、ＮＦＣタッチされたデジタルカメラ１００の識別情報を受信する。
ステップＳ６０３において、制御部２０１は、ステップＳ６００で不揮発性メモリ２０３に記憶しておいたデジタルカメラ１００の識別情報と、ステップＳ６０２で新たに受信したデジタルカメラ１００の識別情報とを比較する。上述したように、ここではデジタルカメラ１００の識別情報をＵＵＩＤとする。
【００２３】
ステップＳ６０４において、制御部２０１は、ステップＳ６０３での比較の結果、ＵＵＩＤが一致したか否かを判定する。制御部２０１は、ＵＵＩＤが一致していたら、先にタッチされたデジタルカメラと新たにタッチされたデジタルカメラとが同じデジタルカメラであると判定して、ステップＳ６０５へ進む。一方、制御部２０１は、ＵＵＩＤが一致していなかったら、先にタッチされたデジタルカメラと新たにタッチされたデジタルカメラとは別物であると判定して、ステップＳ６０６へ進む。
ステップＳ６０５において、制御部２０１は、ＮＦＣタッチされたデジタルカメラが現在接続中である旨のメッセージを表示部２０６に表示する。
ステップＳ６０６において、制御部２０１は、携帯電話２００が他のデジタルカメラと接続中である旨のメッセージを表示部２０６に表示する。
このように、制御部２０１が、Ｓ６０４における判定の結果に応じて携帯電話２００の通信状況に関するメッセージを切り替えて表示することにより、ユーザは通信状況を把握しながら携帯電話２００を操作することができるようになる。なお、ステップＳ６０５、Ｓ６０６の処理は、通信状況に関するメッセージを切り替えて表示する表示制御処理の一例である。
ユーザによる携帯電話２００を使用したデジタルカメラ１００の遠隔操作の終了後、ステップＳ６０７において、制御部２０１は、デジタルカメラ１００との無線ＬＡＮネットワーク通信を切断する。
ステップＳ６０８において、制御部２０１は、ステップＳ６００で不揮発性メモリ２０３に記憶しておいたデジタルカメラ１００の識別情報を削除する。
以上が、通信中にＮＦＣタッチされた場合における携帯電話２００の動作の流れである。
【００２４】
また、図６のフローチャートでは、ステップＳ６０１のＮＦＣタッチのタイミングが、ステップＳ４０４で携帯電話２００とデジタルカメラ１００との無線ＬＡＮネットワーク通信が確立された後であるものとして説明したが、必ずしもこれに限るものではない。例えば、ステップＳ４０３で携帯電話２００がデジタルカメラ１００の無線ＬＡＮネットワークへ接続処理を開始した後（接続処理中）にＮＦＣタッチされたケースも想定される。その場合、制御部２０１は、新たに受信したデジタルカメラのＵＵＩＤがステップＳ６００で記憶しておいたデジタルカメラのＵＵＩＤと一致したら、新たにＮＦＣタッチされたデジタルカメラと現在接続処理中である旨のメッセージを表示部２０６に表示する。一方、制御部２０１は、ＵＵＩＤが一致しなかったら、他のデジタルカメラと接続処理中である旨のメッセージを表示部２０６に表示する。これにより、制御部２０１は、ＮＦＣタッチされた際の無線ＬＡＮネットワーク通信の接続状況（接続確立後、接続処理中等）に応じて、よりユーザにわかりやすい通信状況についてのメッセージを表示することができる。
なお、本実施形態ではＮＦＣタッチを使用した自動接続処理が行われる場合について説明したが、互いの機器を操作して接続させる通常の接続方法で無線ＬＡＮネットワーク接続をした場合においても、通信中にＮＦＣタッチしてしまうことが考えられる。その場合、制御部２０１は、図６のステップＳ６００において事前にデジタルカメラの識別情報を記憶しておかずに、ステップＳ６０１でＮＦＣタッチされた際に無線ＬＡＮネットワークを経由して接続中のデジタルカメラの識別情報を受信するようにしてもよい。そして、制御部２０１は、その識別情報と、新たにＮＦＣタッチされたデジタルカメラの識別情報とを比較するようにしてもよい。
【００２５】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００２６】
以上、上述した各実施形態によれば、ユーザが携帯電話２００等の情報処理装置を操作してデジタルカメラ１００等の通信装置と非接触近接通信を行う際に、通信状況を把握しながら操作を行うことができるようになる。
【００２７】
以上、本発明の好ましい形態について詳述したが、本実施形態は係る特定の実施形態に限定されるものではなく、特許請求の範囲に記載された本発明の要旨の範囲内において、種々の変形・変更が可能である。
【符号の説明】
【００２８】
１００  デジタルカメラ、２００  携帯電話、１０１、２０１  制御部、１０２、２０２  撮像部、１０３、２０３  不揮発性メモリ、１０４、２０４  作業用メモリ、１０５、２０５  操作部、１０６、２０６  表示部、１１０、２１０  記録媒体、１１１、２１１  接続部、１１２、２１２  近接無線通信部
【図１】
2016100724.tif 000003
【図２】
2016100724.tif 000004
【図３】
2016100724.tif 000005
【図４】
2016100724.tif 000006
【図５】
2016100724.tif 000007
【図６】
2016100724.tif 000008